【事件の表示】
　平成　７年特許願第２９５９７８号「テープカセット」拒絶査定不服審判事件〔平成　８年　９月１３日出願公開、特開平　８−２３５８２０〕について、次のとおり審決する。
【結　論】
　本件審判の請求は、成り立たない。
【理　由】
１．手続きの経緯・本願発明
　本願は、平成７年１０月２０日（優先権主張平成６年１２月２０日）の出願であって、その請求項１に係る発明は、平成１４年２月４日付け、平成１５年７月１７日付け及び平成１７年６月２０日付けの手続補正書によって補正された明細書及び図面の記載からみて、本願の特許請求の範囲の請求項１に記載された次のとおりのものである（以下、「本願発明」という。）。
　
「テープを巻装した一対のハブをケース内に回転自在に装着し、該ケースに形成されるテープローディング用の空間を開閉するスライダをケース底面を覆って摺動自在に備えると共に、前記スライダ底面に設けた透孔に嵌挿してロックする頭部を先端に持つ弾性ロック片を下ケースに配備し、該弾性ロック片の頭部を前記透孔に嵌挿するように付勢するコイルスプリングを弾性ロック片と上ケースとの間に介在装備したテープカセットにおいて、前記コイルスプリングの両端の先端形状がコイル部リングに隙間がなく沿わせて形成されており、そのコイル部を上ケースに設けた突起に嵌装すると共に、前記突起が、前記コイルスプリングの両端内径より小径に形成され、突起基部の外周に複数のリブを突設配備され、上ケース側のコイルスプリングの末端部または末端近傍部を前記突起の突起基部に圧入保持したことを特徴としたテープカセット。」
　
２．引用例
（１）これに対して、当審における拒絶の理由で引用した実願平３−９７３７９号（実開平５−４３３６７号）のＣＤ−ＲＯＭ（以下、「引用例１」という。）には、図面とともに次の事項が記載されている（下線は当審で付した。）。
「【００１１】
　【実施例】
　以下、本考案を適用したテープカセットの一実施例を図１乃至図３を参照して説明するが、上述した従来のテープカセット１１と対応する同一構成部材には、同一符号を付して説明及び図面を簡略することとする。
　本実施例の
テープカセット１
磁気テープＴを巻回した一対のリールハブ５ａ、５ｂを収納
上ハーフ２
スライダーロックスプリング１０
ピン２ｂ
マウス部６
　そして、このマウス部６を開口した状態と閉塞した状態でスライダー８を夫々保持するための
係合孔８ｃ、８ｄが一対ずつスライダー８に穿設され
スライダーロック部３ｃを下ハーフ３に設けている
　【００１２】
　これらの構成に加えて本実施例では、前述のスライダーロック部３ｃと上ハーフ２のピン２ｂとの間にコイル状の
スライダーロックスプリング
　このスライダーロックスプリング１０は、
中央の本体部１０ａの上下に密着巻部１０ｂ、１０ｃを設け
直線状に形成してピン支持部
　【００１３】
　この構成によって、本実施例は、スライダーロックスプリング１０を上ハーフ２に組み込む際に次のように作用する。
　スライダーロックスプリング１０のピン支持部１０ｂ1をピン２ｂのテーパー状の下端縁２ｂ1から上方に深く挿入するにつれ、ピン支持部１０ｂ1が外方向に徐々に押し広げられて偏倚力が生じ、ピン支持部１０ｂ1の内側で上ハーフ２のピン２ｂを一定の偏倚力で支持する。これにより、スライダーロックスプリング１０は、上ハーフ２のピン２ｂに
軽圧入
　そして、上ハーフ２と下ハーフ３とを合体させる時に、スライダーロックスプリング１０が上ハーフ２から脱落することがなく、また組込後においては、スライダーロック押圧部１０ｃ1で下ハーフ３のスライダーロック部３ｃを下方向に常時押圧し、スライダーロック部３ｃ、３ｃの下方向への偏倚力を補強する。」
「【００１５】
　そして、記録再生装置にテープカセット１を装填すると、係合爪３ｄがスライダー８の上面に押し上げられ、スライダー８はカセット匣体４の後方に次第に移動する。そして、
スライダーロック部３ｃの係合爪３ｄ
　【００１６】
　こうして、マウス部６の下方は開口され、またスライダー８のリール軸挿入孔８ｂと、下ハーフ３のリール軸挿入孔３ｂとが一致した状態でスライダー８が保持され、記録再生装置側のリール軸がカセット匣体４内に挿入可能となる。また前述の作動に引き続いて、マウス部６の前方を閉塞しているリッド７も上方向に回転してマウス部６の前方が開口され、このマウス部６内に記録再生装置側のテープローディング用のガイド部材が挿入されて、テープの記録再生が行われる。」
　
　上記の記載、図１乃至図３に関する記載を参照すると、引用例１には、
「磁気テープＴを巻回した一対のリールハブを上下ハーフ内に収納し、
　該カセット筐体のマウス部を開閉するスライダーを備え、
　前記スライダーに穿設された係合孔と係合する係合爪を備えたスライダーロック部を下ハーフに設け、
　前記スライダーロック部の係合爪を前記スライダーの係合孔内に係合するように押圧するコイル状のスライダーロックスプリングを前記スライダーロック部と上ハーフのピンとの間に介在させたテープカセットにおいて、
　前記スライダーロックスプリングの密巻部の上下端部を直線状に形成してピン支持部及びスライダーロック押圧部を構成し、前記スライダーロックスプリングがピンの下端縁から挿入されるにつれ、ピン支持部が外方向に徐々に押し広げられてピン支持部の内側でピンを偏奇力で支持するテープカセット。」の発明（以下、「引用例１の発明」という。）が記載されていると認められる。
　
（２）同じく当審における拒絶の理由で引用した特開昭６２−２７９５７３号公報（以下、「引用例２」という。）には、圧縮コイルばね２８を抜け止めすることについて、図１と共に、以下の記載がある。
「支持片18側のばね受突起29の根元周面一部に小さい突部31を設けておき，ばね28の上端部28aをばね受突起29に抜け止め状に嵌合することにより先組みしたのち，下ケース1bに上ケース1aを被せ付けるとそのばね28の下端部28bがロック片24上のばね受突起30に嵌合するようにしてなる。」（第４頁右上欄第１８行〜同左下欄第４行）
　
（３）同じく当審における拒絶の理由で引用した実願平２−１０５５４８号（実開平４−６２５７４号）のマイクロフィルム（以下、「引用例３」という。）には、コイルスプリング８を外れないようにする構成について、２図乃至４図と共に、以下の記載がある。
「本実施例のテープカセットは、上記スプリング取付軸3dへの上記コイルスプリング８の取り付けを容易に行えると共に、一旦取り付けられた上記コイルスプリング８が上記スプリング取付軸3dから容易に外れないようにした点に特徴を有している。
　即ち、第２図及び第３図に示すように、上記スプリング取付軸3dの外周面には、上記コイルスプリング８を半径方向に押し広げるための、軸方向に延びるリブ3eが、２個、周方向に適宜間隔（略180°の開き角度）をもって設けられ、該リブ3eの先端部にはテーパー状部3fが設けられている。」（第８頁第１０行〜第９頁第２行）
　
３．対比
　本願発明と引用例１の発明を対比する。
　引用例１の発明の、「磁気テープＴを巻回した一対のリールハブ」「ハーフ」「マウス部」「スライダー」「スライダーロック部」「スライダーロックスプリング」「ピン」は、本願発明の「テープを巻装した一対のハブ」「ケース」「テープローディング用の空間」「スライダ」「弾性ロック片」「コイルスプリング」「突起」にそれぞれ相当するから、本願発明と引用例１の発明は、「テープを巻装した一対のハブをケース内に回転自在に装着し、該ケースに形成されるテープローディング用の空間を開閉するスライダをケース底面を覆って摺動自在に備えると共に、前記スライダ底面に設けた透孔に嵌挿してロックする頭部を先端に持つ弾性ロック片を下ケースに配備し、該弾性ロック片の頭部を前記透孔に嵌挿するように付勢するコイルスプリングを弾性ロック片と上ケースとの間に介在装備したテープカセット」で共通する。
　引用例１の発明の、「スライダーロックスプリング」の密巻部が上下に形成された形状は、本願発明の「コイルスプリング」の両端の先端形状がコイル部リングに隙間がなく沿わせて形成された形状に相当する。
　引用例１の発明の、「スライダーロックスプリング」の両端の直線状に形成されたピン支持部及びスライダーロック押圧部は、「ピン」の下端縁では押し広げられていないから、「スライダーロックスプリング」の両端の内側は、「ピン」の下端縁の径より大とする大小関係状態であるから、本願発明において、「前記突起が、前記コイルスプリングの両端内径より小径に形成され」たことに相当する。
　引用例１の発明の、「前記スライダーロックスプリングがピンの下端縁から挿入されるにつれ、ピン支持部が外方向に徐々に押し広げられてピン支持部の内側でピンを偏奇力で支持する」ことは、「スライダーロックスプリング」が「ピン」に圧入された状態であるから、本願発明における、「コイルスプリングのコイル部を上ケースに設けた突起に嵌装すると共に」、「上ケース側のコイルスプリングの末端部または末端近傍部を前記突起に圧入保持した」状態に相当する。
　
　したがって、本願発明と引用例１の発明とは、次のような一致点と相違点を有する。
〈一致点〉
「テープを巻装した一対のハブをケース内に回転自在に装着し、該ケースに形成されるテープローディング用の空間を開閉するスライダをケース底面を覆って摺動自在に備えると共に、前記スライダ底面に設けた透孔に嵌挿してロックする頭部を先端に持つ弾性ロック片を下ケースに配備し、該弾性ロック片の頭部を前記透孔に嵌挿するように付勢するコイルスプリングを弾性ロック片と上ケースとの間に介在装備したテープカセットにおいて、前記コイルスプリングの両端の先端形状がコイル部リングに隙間がなく沿わせて形成されており、そのコイル部を上ケースに設けた突起に嵌装すると共に、前記突起が、前記コイルスプリングの両端内径より小径に形成され、上ケース側のコイルスプリングの末端部または末端近傍部を前記突起に圧入保持したテープカセット。」
　
〈相違点〉
　コイルスプリングの末端部または末端近傍部を突起に圧入保持する構成が、本願発明においては、突起基部の外周に突設配備された複数のリブに、末端部または末端部近傍部を圧入するのに対して、引用例１の発明では、スライダーロックスプリングの端部の直線状に形成したピン支持部の内側でピンを偏奇する点。
　
４．当審の判断
　上記相違点について検討する。
　引用例２，３には、突起基部の外周に１又は複数のリブを設け、コイルスプリングの端部を圧入保持した構成が記載されている。
　してみれば、引用例１の発明において、引用例２，３に記載されているように、ピンの根元外周に複数のリブを設け、直線状に形成したピン支持部を設けることなく、スライダーロックスプリングの端部を圧入することで保持するように構成することは、当業者が容易になし得たことと認められる。
　　
５．むすび
　したがって、本願発明は、引用例１乃至３に記載された発明に基いて当業者が容易に発明をすることができたものと認められるから、特許法第２９条第２項の規定により特許を受けることができない。
　よって、結論のとおり審決する。